(57)【要約】      （修正有）【課題】組み立てが容易で、使用中の衝撃による、内部構造の破損、磁石の反転、あるいは、容器内での磁石の傾斜による性能の悪化を防ぐことができる波動調整器を提供する。【解決手段】少なくとも１つの水晶２と、水晶を挟むように配置される一対の磁石１とを有する波動調整ユニット１１を、内部に少なくとも１つ含む容器３であり、少なくとも内面が円筒状の一体成形された側部と、側部の両端の開口部を閉じる２つの蓋部を含み、容器の内径Ｄは、少なくとも磁石及び水晶が容器内部で十分に滑らかに移動可能な程度に磁石及び水晶の外径よりも大きく、及び、容器内で磁石の磁極が反転するように回転するのを防ぐことができ、同一波動調整ユニット内において磁石の対向する面に直交する磁場が水晶のすべてを貫通することができる程度に小さい、少なくとも磁石の外径ｄ、厚さｗ、及び水晶の外径、個数によって決定される寸法を有する。【選択図】図１
2015037451.tif 000002
【特許請求の範囲】
【請求項１】
少なくとも１つの水晶と、前記水晶を挟むように配置される一対の磁石とを有する波動調整ユニットを、内部に少なくとも１つ含む容器において、
少なくとも内面が円筒状の一体成形された側部と、
前記側部の両端の開口部を閉じる２つの蓋部を含み、
前記容器の内径は、少なくとも前記磁石及び前記水晶が前記容器内部で十分に滑らかに移動可能な程度に前記磁石及び前記水晶の外径よりも大きく、及び、前記容器内で前記磁石の磁極が反転するように回転するのを防ぐことができ、同一波動調整ユニット内において前記磁石の対向する面に直交する磁場が前記水晶のすべてを貫通することができる程度に小さい、少なくとも前記磁石の外径、厚さ、及び前記水晶の外径、個数によって決定される寸法を有する容器。
【請求項２】
少なくとも１つの水晶と、前記水晶を挟むように配置される一対の磁石とを有する波動調整ユニットを、内部に少なくとも１つ含む容器において、
少なくとも内面が円筒状の一体成形された側部と、
前記側部の両端の開口部を閉じる２つの蓋部を含み、
前記容器の内径は、少なくとも前記磁石及び前記水晶が前記容器内部で十分に滑らかに移動可能な程度に前記磁石及び前記水晶の外径よりも大きく、及び、前記一対の磁石に前記水晶が挟まれる状態を維持できる程度に小さく、
前記容器の内部の長さは、前記波動調整ユニットのすべてを収容できる程度に長く、及び、前記容器内で前記磁石の磁極が反転するように回転するのを防ぐことができ、同一波動調整ユニット内において前記磁石の対向する面に直交する磁場が前記水晶のすべてを貫通することができる程度に短い、少なくとも前記磁石の外径、厚さ、及び前記水晶の外径、個数によって決定される寸法を有する容器。
【請求項３】
少なくとも１つの水晶と、前記水晶を挟むように配置される一対の磁石とを有する波動調整ユニットを、内部に少なくとも１つ含む容器において、
少なくとも内部断面が半月状の空間を有する一対の組み合わせ部材を含み、
前記一対の組み合わせ部材は、組み合わせることで内部に円筒状の空間ができ、
前記容器の内径は、前記磁石及び前記水晶を収容できる程度に大きく、及び、前記容器内で前記磁石の磁極が反転するように回転するのを防ぐことができ、同一波動調整ユニット内において前記磁石の対向する面に直交する磁場が前記水晶のすべてを貫通することができる程度に小さい、少なくとも前記磁石の外径、厚さ、及び前記水晶の外径、個数によって決定される寸法を有する容器。
【請求項４】
少なくとも１つの水晶と、前記水晶を挟むように配置される一対の磁石とを有する波動調整ユニットを、内部に少なくとも１つ含む容器において、
少なくとも内部断面が半月状の空間を有する一対の組み合わせ部材を含み、
前記一対の組み合わせ部材は、組み合わせることで内部に円筒状の空間ができ、
前記一対の組み合わせ部材の内面には、前記容器内で前記磁石の運動を規制する細径部及び／又は隔壁部を含み、
前記容器の内径は、前記磁石及び前記水晶を収容できる程度に大きく、及び、前記一対の磁石に前記水晶が挟まれる状態を維持できる程度に小さく、
前記細径部、隔壁部、及び前記容器の両端部のうちのいずれか２つによって囲まれる前記磁石を収容する空間の長さは、前記磁石を収容できる程度に長く、及び、前記空間内で前記磁石の磁極が反転するように回転するのを防ぐことができ、同一波動調整ユニット内において前記磁石の対向する面に直交する磁場が前記水晶のすべてを貫通することができる程度に短い、少なくとも前記磁石の外径、厚さ、及び前記水晶の外径、個数によって決定される寸法を有する容器。
【請求項５】
前記一対の組み合わせ部材は、接着及び／又はスナップフィットによって組み合わされ固定される請求項３又は４記載の容器。
【請求項６】
請求項１〜５のいずれか１項記載の容器内に、少なくとも１つの波動調整ユニットを有する波動調整器。
【請求項７】
少なくとも１つの水晶と、前記水晶を挟むように配置される一対の磁石とを有する波動調整ユニットを、内部に少なくとも１つ含む波動調整器において、
型枠内に前記磁石及び前記水晶を固定する工程であって、前記型枠の内部寸法は、前記磁石及び前記水晶を収容できる程度に大きく、及び、前記型枠内で前記磁石の磁極が反転するように回転するのを防ぐことができ、同一波動調整ユニット内において前記磁石の対向する面に直交する磁場が前記水晶のすべてを貫通することができる程度に小さい工程と、
前記型枠内に硬化性樹脂を流し込み固化させる工程と、
前記型枠から前記磁石及び前記水晶を含む固化した前記樹脂を取り出す工程を含む前記波動調整器の製造方法によって製造される波動調整器。
【請求項８】
少なくとも１つの水晶と、前記水晶を挟むように配置される一対の磁石とを有する波動調整ユニットを、内部に少なくとも１つ含む波動調整器において、
前記磁石及び前記水晶を治具を用いて適当な位置に固定する工程と、
型枠内に前記磁石及び前記水晶を固定する工程であって、前記型枠内の少なくとも一部に硬化性樹脂を流し込み固化させ、前記磁石及び前記水晶を固定する工程と、
前記磁石及び前記水晶から前記治具を取り外す工程を含む前記波動調整器の製造方法によって製造される波動調整器。
【請求項９】
前記固化した樹脂の一部を治具によって支持し、前記磁石及び前記水晶の露出した部分の少なくとも一部を型枠内に前記硬化性樹脂を流し込み固化させる工程と、
前記固化した樹脂から前記治具を取り外す工程を更に含む前記波動調整器の製造方法によって製造される請求項９記載の波動調整器。
【請求項１０】
請求項１〜５のいずれか１項記載の容器内に、磁石の同極の反発力を利用して離間して配置された３つの波動調整ユニットを有する三連式波動調整器。
【請求項１１】
２つの駆動手段を更に備え、
前記容器の前記蓋部は、中央に穴を有し、
前記３つの波動調整ユニットのうち少なくとも両端の２つの波動調整ユニット内の前記磁石及び前記水晶は固定され一体化され、
前記２つの駆動手段の駆動軸は、前記穴を通して前記両端の２つの波動調整ユニットに夫々結合され、これによって前記両端の２つの波動調整ユニットは独立して回転可能である請求項１０記載の三連式波動調整器。
【請求項１２】
三連式波動調整器であって、
前記一対の磁石及び前記水晶とが一体化された請求項６〜９のいずれか１項記載の波動調整器を少なくとも両端に２つ含む合計３つの波動調整ユニットと、
少なくとも内面が円筒状の一体成形された側部を備える第２の容器と、
２つの駆動手段を含み、
前記３つの波動調整ユニットは、前記第２の容器内で磁石の同極の反発力を利用して離間して配置され、
前記両端の２つの波動調整器の前記容器の前記蓋部は、中央に穴を有し、前記２つの駆動手段の駆動軸が、前記穴を通して前記両端の２つの波動調整器に夫々結合され、これによって前記両端の２つの波動調整器は独立して回転可能であり、
前記第２の容器の内径は、前記両端の２つの波動調整器が前記第２の容器の内面に接触することなく回転可能で、中央の波動調整器又は波動調整ユニットが前記第２の容器内部で十分に滑らかに移動可能な程度に大きく、及び、前記中央の波動調整器が回転するのを防ぐ程度に、又は前記第２の容器内で前記中央の波動調整ユニットの前記磁石の磁極が反転するように回転するのを防ぐことができ、前記中央の波動調整ユニットの前記磁石の対向する面に直交する磁場が前記中央の波動調整ユニットの前記水晶のすべてを貫通することができる程度に小さい三連式波動調整器。
【請求項１３】
前記水晶の少なくとも一部が他の石で置換されている請求項６〜１２記載の波動調整器。
【発明の詳細な説明】
【技術分野】
【０００１】  本発明は、人体や物質を構成する素粒子の波動を調整する波動調整器に関する。
【背景技術】
【０００２】  物理学では、すべての物質は粒子性と波動性を有することが一般に知られている。波動性に関しては、未知なる部分が多いが、経験的にこれをうまく利用した製品が多く販売されている。【０００３】  例えば、磁気治療器や天然石を用いた健康器具が世の中に広く出回っている。また、磁石と天然石等の別の石を組み合わせた器具も知られている。
【特許文献１】特開２００７−０６８８２２号公報
【特許文献２】特開２００２−１３６６０８号公報
【発明の開示】
【発明が解決しようとする課題】
【０００４】  発明者らはこれまでに一対の磁石とこれに挟まれる水晶及び／又は他の石（以下、代表して水晶と記載する）を含む波動調整器の研究を行ってまいり、その一部が特開２００７−０６８８２２号に開示されており、本明細書内にて援用される。これらの要素部品は、何らかの容器に収容される形で波動調整器として提供されるが、この容器の寸法を適切に選択しないと、様々な不具合が発生することが判明した。特に、容器の内径が磁石及び／又は水晶の外径に比べて小さ過ぎると、容器内に磁石及び／又は水晶が入らなかったり、組立時に途中で引っ掛かり、抜けなくなったりしてしまう。逆に、特に、容器の内径が磁石及び／又は水晶の外径に比べて大き過ぎると、容器内部で磁石が回転して、磁極が反転してしまったり、容器内部における磁石の傾斜角が大きくなり過ぎ、性能が悪化してしまう。これらの問題は、容器が不透明であったり、サイズが小さく、容器内面と磁石及び／又は水晶との間の隙間が狭く（例えば、隙間が１ｍｍ以下、特には、隙間が０．５ｍｍ以下）、目視では確認が困難な場合は顕著である。また、筒状の容器内に磁石の同極を対向させて配置させた磁気健康具が、特開２００２−１３６６０８号公報にも開示されている。この場合も条件によっては上記と同様な問題が生じる。
【課題を解決するための手段】
【０００５】    本発明は、上記の課題を解決するために、少なくとも１つの水晶と、水晶を挟むように配置される一対の磁石とを有する波動調整ユニットを、内部に少なくとも１つ含む容器において、少なくとも内面が円筒状の一体成形された側部と、側部の両端の開口部を閉じる２つの蓋部を含み、容器の内径は、少なくとも磁石及び水晶が容器内部で十分に滑らかに移動可能な程度に磁石及び水晶の外径よりも大きく、及び、容器内で磁石の磁極が反転するように回転するのを防ぐことができ、同一波動調整ユニット内において磁石の対向する面に直交する磁場が水晶のすべてを貫通することができる程度に小さい、少なくとも磁石の外径、厚さ、及び水晶の外径、個数によって決定される寸法を有する容器を提供する。
【発明の効果】
【０００６】  本発明の波動調整器用容器を用いることにより、特に磁石の同極を対向させて配置させた場合における波動調整器の組み立てを容易にする。また、波動調整器を組み立て後の使用中に、様々な外的要因、例えば衝撃力などにより、波動調整器の内部構造が壊れたり、変化する、例えば磁石の同極を対向して配置していた構造が磁石の異極を対向して配置する構造に変わるなどの発生を未然に防ぐことができる。更に、容器内での磁石の傾斜による波動調整器の性能の悪化を防ぐことができる。
【図面の簡単な説明】
【０００７】
【図１】本発明の一実施形態に係る波動調整器用容器の断面図を示す。
【図２】磁石が回転するときを示した断面図である。
【図３】磁石が容器内で回転し傾斜した状態を示す断面図である。
【図４】対向する一対の磁石内に複数の水晶が配置された場合の容器の内部断面図である。
【図５】上部磁石の面に垂直な方向から見た２円の共通部分Ａをｘ−ｙ座標平面内に記した模式図である。
【図６Ａ】から
【図６Ｂ】本発明の別の一実施形態に係る波動調整器用容器の正面図及び底面図を示す。
【図７Ａ】から
【図７Ｂ】隔壁部及び細径部を備えた波動調整器用容器の正面図を示す。
【図８】磁石及び水晶の外形と等しい又はわずかに大きな凹部を有する組み合わせ部材の三面図を示す。
【図９】本発明の一実施形態に係る波動調整器用容器内に、３つの波動調整ユニットを磁石の反発力を利用して積層した三連式波動調整器の一実施形態の断面図を示す。
【図１０】三連式波動調整器の両端の２つの波動調整ユニットを回転可能にした本発明の別の一実施形態に係る三連式波動調整器の断面図を示す。
【図１１】本発明の一実施形態に係る波動調整器用容器内に波動調整ユニットを配置した波動調整器を、更に本発明の一実施形態に係る第２の容器内に磁石の反発力を利用して積層させた更に別の三連式波動調整器の一実施形態の断面図を示す。
【符号の説明】
【０００８】  １・・・磁石、２・・・水晶、３・・・容器、４・・・隔壁部、５・・・細径部、６・・・駆動手段、１１・・・波動調整ユニット、１２・・・波動調整器、１３・・・第２の容器、１４・・・三連式波動調整器。
【発明を実施するための形態】
【０００９】  図１は、本発明の一実施形態に係る波動調整器１２用容器３の断面図を示す。容器３内には、球状の水晶２とそれを挟むように一対の円盤型磁石１が配置されている。容器３の内径Ｄは、磁石１及び水晶２が容器３内に入るように、磁石１の外径ｄｍ及び水晶２の外径ｄｃよりも若干大きく設定されている。また、例えば上部磁石１の下面をＮ極に、下部磁石１の上面を同様にＮ極に配置すると、磁石１の反発力から、Ｎ極とＳ極の吸引力で吸着するように、いずれかの磁石１に回転力が働く。そのため、同極が対向する配置を維持するためには、容器３の内径Ｄは、磁石１の回転が起こらない幅以内に設定される必要がある。
【００１０】  図２は、磁石１が回転するときを示した断面図である。磁石１の外径ｄｍ、磁石１の厚みｗとすると、磁石１が回転するとき、磁石１断面の対角線Ａ−Ｂが水平となったときが、水平方向の幅が最も大きくなる。このときの幅ＡＢは以下の式で表される。
2015037451.tif 000003
つまり、磁石１が容器３内部で回転しないための条件は、以下の式で表される。
2015037451.tif 000004
磁石１の厚みｗを大きくすると、磁石１の外径ｄｍと容器３の内径Ｄの間のクリアランスの許容範囲が広く取れるが、波動調整器１２の長さが大きくなってしまうので、コンパクトな設計を実現したい場合は、狭いクリアランス範囲内で容器３の内径Ｄを製作することが必要である。
実際は、磁石１の外径ｄｍ及び厚みｗには寸法公差（誤差）が存在し、容器３の内径Ｄにも寸法公差（誤差）が存在する等の理由から、以下の式を用いるとよい。
2015037451.tif 000005
ただし、寸法公差等を考慮して、磁石１の外径寸法ｄｍ±αｍ、幅ｗ±αｗ、容器３の内径寸法Ｄ±αＤで与えられる場合を示す。寸法公差は加工プロセスや条件によって異なるが、例えば、磁石１の外径ｄｍが１０ｍｍ以下の場合、αｄ＝±５０μｍ程度であり、磁石１の幅ｗが１０ｍｍ以下の場合、αｗ＝±５０μｍ程度である。また、容器３の内径Ｄが１０ｍｍ以下の場合、αＤ＝±５０μｍ程度である。
同様に、水晶２の外径ｄｃ±αｃとしたとき、ｄｃ＞ｄｍの場合を含めて上式は以下のようになる。
2015037451.tif 000006
ただし、左辺は（ｄｃ＋αｃ）と（ｄｍ＋αｍ）の大きい方を示す。
【００１１】  図３は、磁石１が容器３内で回転し傾斜した状態を示す断面図である。対向する一対の磁石１の同極の反発力により、上下の磁石１が中心軸に対してそれぞれ角度θ傾いたとする。波動調整器においては、対向する一対の磁石１の夫々の面に直交する磁場が水晶２内を貫通するように配置されることにより効果的に機能する。しかしながら、磁石１が容器３内で回転し傾斜した場合、対向する一対の磁石１の夫々の面に直交する磁場が、水晶２内を有効に貫通しない場合が発生することがある。
ここで、磁石１の傾斜角θと、磁石１の外径ｄｍ及び厚みｗと容器２の内径Ｄの間には、以下の関係が成り立つ。
Ｄ＝ｄｍ・ｃｏｓθ＋ｗ・ｓｉｎθ                                        （５）
これをθについて解くと、以下のようになる。
2015037451.tif 000007
この傾斜角θが大きいと、たとえ磁石１が容器３内で回転しない条件を満たしていたとしても、波動調整器の性能の面で望ましくない。特に、対向する一対の磁石１の磁力が比較的強く、同極の反発力により上部磁石１が水晶２から離間している場合や、対向する一対の磁石１間に複数の水晶２が配置される場合など、対向する一対の磁石１間の離間距離が大きい場合は、傾斜角θに対して性能の面で大きく影響を受ける。傾斜角θと波動調整器の性能との関係を厳密に議論することは困難であるが、以下において、判断の目安となる簡便な方法を示す。
【００１２】  図４は、対向する一対の磁石１内に複数の水晶２が配置された場合の容器３の内部断面図を示す。図３の場合と比較して、複数の水晶２が配置されたことにより、例えば上部磁石１の面に直交する磁場が最下部に位置する水晶２を貫通する部分の体積は減少する。このように複数の水晶２が配置される場合においては、種類の異なる石を配置することにより異なる特性を波動調整器に付与する目的のために用いることがある。この目的のためには磁石１の面に直交する磁場が水晶２のすべてを貫通することにより目的の効果が得られるため、最も距離の離れた上部磁石１の面に直交する磁場が最下部に位置する水晶２を貫通する部分の体積を波動調整器の性能の判断に用いるとよい。更に簡便な方法としては、最下部に位置する水晶２の中心を通り上部磁石１の面に平行な平面内における磁場の貫通部分の面積を用いることができる。これは、上部磁石１の面に直交する磁場を円筒、最下部に位置する水晶２を球として、これらの共通部分のうち、球の中心Ｏ２を通り円筒軸に垂直な平面内の共通部分、つまり、２円の共通部分Ａに相当する。
【００１３】  図５は、上部磁石１の面に垂直な方向から見た上記２円の共通部分Ａをｘ−ｙ座標平面内に記した模式図である。最下部に位置する水晶２の球の中心Ｏ２を原点とし、上部磁石１の面に直交する磁場によって形成される円筒の軸に垂直な平面内にｘ−ｙ座標系を設置し、ｘ−ｙ平面による円筒の切断面を円Ｃ１、球の切断面を円Ｃ２とする。球（円Ｃ１）の半径をｒｃ１（＝ｄＣ／２）、円Ｃ２の半径をｒｃ２（＝ｄｍ／２）、円Ｃ２の中心座標が（０，ｙ０）、円Ｃ１とＣ２の交点Ｐ（ｒｃ１ｃｏｓψ，ｒｃ１ｓｉｎψ）とおくと、以下の関係式が成り立つ。
Ｃ１：ｘ２＋（ｙ−ｙ０）２＝ｒｃ１２                                    （７）
Ｃ２：ｘ２＋ｙ２＝ｒｃ２２                                              （８）
辺々引いてｙについて解くと、以下のようになる。
2015037451.tif 000008
ここで、水晶の径と磁石の径がほぼ等しく、ｒｃ１＝ｒｃ２＝ｒｃのとき、上式は以下のようになる。
2015037451.tif 000009
ゆえに、図５の共通部分Ａの面積ＳＡは以下のようになる。
2015037451.tif 000010
ここで、磁石１が容器３内で傾斜せずに配置された場合の上部磁石１の下面の中心から最下部に位置する水晶２の中心までの距離をＺとおき、磁石１の回転によって距離Ｚは変化しないと仮定すると、以下の関係式が成り立つ。
ｙ０＝Ｚｓｉｎθ                                                      （１２）
これらから、上部磁石１の面に直交する磁場が最下部に位置する水晶２を貫通する割合を、上記共通部分Ａの面積ＳＡの円Ｃ１とＣ２が重なったとき（磁石１の傾斜角θ＝０のとき）の面積に対する割合として、磁場貫通率ωを以下のように定義する。
2015037451.tif 000011
ここで、磁石１の磁力が比較的弱い場合や、容器３の長さが比較的短く波動調整器の各要素部品が密に詰まっている場合など、上部磁石１の下面と最上部に位置する水晶２が接触している場合を考えると、対向する一対の磁石１に挟まれる水晶２の個数をｎとして、以下の式が成り立つ。
Ｚ＝（ｎ−１）・Ｄｃ＋ｒｃ＝（２ｎ−１）・ｒｃ                        （１４）
これらから、磁場貫通率ωは以下のようになる。
2015037451.tif 000012
式（６）、（１５）から、磁場貫通率は、磁石１の外径ｄｍ（上記の場合は半径ｒｃ）、厚みｗ、水晶２の外径ｄｃ（上記の場合は半径ｒｃ）、個数ｎ、容器３の内径Ｄを用いて求められ、磁石１の傾斜角θと水晶２の個数ｎによって決定されることが分かる。磁石１の面に直交する磁場が水晶２のすべてを貫通する条件は、ω＞０であるので、ｄｍ（又はｒｃ）、ｗ、ｄｃ（又はｒｃ）、ｎが設計値として与えられれば、Ｄの条件が求まる。しかしながら、磁場貫通率ωは大きい値の方が波動調整器の性能の面では望ましいので、他の条件との兼ね合いからなるべく大きな値が取れるような設計値を選択するとよい。
【００１４】  ここで、磁石１の外径ｄｍに比べて、水晶２の外径ｄｃが小さい場合、水晶２は容器３内で横方向に動き、特に図４の実施形態のような複数の水晶２を用いる場合、例えば、複数の水晶２は容器３内で互い違いに配置され、磁石１の面に直交する磁場が水晶２のすべてを貫通する条件は、より厳しい制約を受ける。特に、磁石１の磁力が比較的強く、磁石１の同極の反発力により最上部の水晶２と上部磁石１との間に空間ができる場合や、水晶２の数ｎが大きい場合など、つまりＺが大きい場合は、磁石１の回転による傾斜の影響は顕著となる。そのため、式（１５）の磁場貫通率ωの計算（これは、ｒｃ１＝ｒｃ２＝ｒｃの場合だが）をより厳密に計算するか、もしくは式（１５）の値をもとに余裕を持たせて（例えば、安全率を考慮に入れて）容器３の内径Ｄ等の値を選択するなどして対処するとよい。また、水晶２の容器３内での横方向の動きを防ぐために、例えば、複数の水晶２を直接又は適当な治具を介して接着等により固定したり、複数の水晶２の中央に穴をあけて、その穴に細いワイヤーやテグスを通して固定するなどの方法も可能である。
【００１５】  磁石１が容器３内で回転しない条件を式（４）のように、磁石１の対向する面に直交する磁場が水晶２のすべてを貫通する条件を式（６）、（１５）のように、容器３の内径Ｄに対して求めたが、容器３の内部の長さＬに対して規定することもできる。例えば、図１の場合、容器３の内部の長さＬ（公差±αＬとする）は、一対の磁石１及び水晶２を収容可能な程度に長く、更に磁石１が回転しない程度に短ければよいので、例えば式（４）に対応する式は以下のようになる。
2015037451.tif 000013
このとき、容器３の内径Ｄが大き過ぎると、一対の磁石１に水晶２が挟まれる構造が崩れ、磁石１と水晶２が径方向に並んでしまうことが起こりうる。容器３の内径Ｄが磁石１の外径ｄｍと水晶２の半径ｒｃ（外径ｄｃの半分）の和よりも大きいと、水晶２の少なくとも一部が磁石１と径方向に並んでしまう。（ただし、磁石１の傾斜は考慮に入れていない。）このため、以下の制約条件が必要となる。
2015037451.tif 000014
【００１６】  図６Ａ〜図６Ｂは、本発明の別の一実施形態に係る波動調整器１２用容器３の正面図及び底面図を示す。本実施形態では、内部断面が半月状の空間を有する一対の組み合わせ部材を組み合わせることにより、内部に円筒状の空間ができる。波動調整器を組み立てる際には、一方の部材の内部に、磁石１及び水晶２を横方向から入れ、他方の部材で蓋をするようにして組み合わせ部材内に磁石１及び水晶２を封入する。組み合わせ部材同士は、接着やスナップフィット等を用いて固着させる。接着テープ等を容器３表面に貼り付けてもよい。容器３の内径寸法は、図１の実施形態と比較すると、図１の実施形態のように円筒内部を磁石１及び水晶２を移動させて組み立てる必要がなく、所定の位置に横方向から組み込むことができるため、容器３の内径寸法は、図１の実施形態ほどクリアランスが必要ない。例えば、図１の実施形態では、磁石１の外径及び水晶２の外径にそれぞれの公差分を加えて、その大きい方よりも容器３の内径寸法は大きいという条件が要求されたが、本実施形態の場合は、公差分を加えずに、磁石１の外径及び水晶２の外径の大きい方よりも容器３の内径寸法は大きいという条件でもよい。更に、容器３の材質がプラスチックなどの軟質材量や弾性材料の場合や、容器３の肉厚が極めて薄く容易に変形可能な場合などは、容器３の内径寸法は磁石１の外径及び／又は水晶２の外径よりも若干小さく設定し、容器３内に磁石１及び／又は水晶２をはめ込むこともできる。磁石１が容器３内で回転しない条件や、磁石１の面に直交する磁場が水晶２のすべてを貫通する条件は、図１の実施形態と同じでよい。
【００１７】  更に、図７Ａ〜図７Ｂに示されるように、磁石１が回転しないように隔壁部及び／又は細径部を設けることも可能である。この際、磁石１が回転しない条件及び磁石１の面に直交する磁場が水晶２のすべてを貫通する条件は、図１の実施形態と同じでよいが、この他に、隔壁部及び／又は細径部によって取り囲まれる磁石１を収容する空間の長さｌ（公差±α１とする）を式（１６）と同様に規定することもでき、例えば式（４）に対応する式は以下のようになる。
2015037451.tif 000015
また、図８に示されるように、磁石１及び水晶２の外形と等しい又はわずかに大きな凹部を有する一対の組み合わせ部材を組み合わせた容器３も可能である。上記図６、図７及び図８で示した実施形態では、２分割された組み合わせ部材を用いたが、３つ以上の部材を組み合わせることによって容器３を構成してもよい。また、一対の組み合わせ部材は、完全に分離した形状としたが、一部が接続されていてもよい。更に、一対の組み合わせ部材を組み合わせることで、内部に円筒面等が形成される形状としたが、磁石１及び水晶２が内部に収まり、内部で磁石１が回転しないように組み立てられる形状であれば他のあらゆる形状が可能である。
一般に、これらの組み合わせ容器３は、型を準備し、プラスチック等の射出成形によって製造することで、比較的複雑な形状（例えば、図８の実施形態）の容器３を大量に製造することができる特徴を持つ。しかしながら、プラスチックやＭＩＭ可能な金属等、射出成形可能な材料に限定され、型を準備することから大量生産には向いているが、試作や少量生産にはコストが掛かってしまう。一方、図１の実施形態のような容器３の構成は、例えば円筒形の容器３等、形状は限定されるが、試作や少量生産に対して、比較的手軽に製造可能である。また、図８の実施形態では、例えば直方体の型枠（例えば、シリコンゴム型など）内に磁石１及び水晶２を適切に配置した状態で、硬化性樹脂を流し込んで固めることもでき、この場合は、容器３は磁石１及び水晶２の寸法と同一の凹部を有すると解釈でき、必ずしも２以上の組み合わせ部材で作成する必要もないが、この場合は型枠内で樹脂が硬化するまでの間、磁石１及び水晶２が適切な位置と姿勢を保持している必要があるため、型枠の内部寸法を容器３に要求されたような条件で製作するか、又は適当な治具を用いて磁石１及び水晶２を適切な位置と姿勢に固定した状態で、２つの組み合わせ部材の一方（又は一部）のみを硬化させ、硬化後に治具を取り外し、他方を硬化させて作るなどの方法も可能である。
また、容器３の材質はあらゆる材料が使用可能であるが、容器３内部に磁石１を使用することから非磁性体材料が望ましく、例えば、プラスチックや非磁性金属等が使用できる。身につけて装身具として使用する場合は、生体適合性のあるステンレス鋼を用いてもよく、水晶２に外部から光を当てるなどして周囲の環境の波動調整を行う場合などは、プラスチックやガラスなどの透明な材料を用いることもできる。目的の用途や機能に応じて、容器３の材質を選択し、その材質に応じた製造プロセス、そして製造量やコストを含めて、様々な実施形態のうちの最適な形態の容器３を選択するとよい。
【００１８】  図９は、本発明の一実施形態に係る波動調整器１２用容器３内に、３つの波動調整ユニット１１を磁石１の反発力を利用して積層させた場合の断面図を示す。容器３の内径Ｄと、磁石１の外径ｄｍ及び厚みｗとが、式（４）を満たすことにより、磁石１の同極同士の反発力による回転運動が抑制され、磁石１の同極同士の対向した配置が可能となり、積層構造が実現できる。更に、式（６）及び（１５）で少なくともω＞０を満たすことにより、波動調整ユニットは良好に機能する。
【００１９】  図１０は、本発明の一実施形態に係る容器３内に、３つの波動調整ユニット１１を磁石１の反発力を利用して積層させた場合の断面図を示し、本実施形態では少なくとも両側の２つの波動調整ユニットの磁石１及び水晶２を一体化させ、駆動手段６によって上下の波動調整ユニット１１を夫々一体で回転させることができる。夫々の波動調整ユニットの磁石１及び水晶２は、直接接着させる、又は適当な治具を介して接着させる等により一体化させることができる。容器３の両側の蓋部の中央には、駆動手段６の回転軸を通す穴が開いており、駆動手段６の回転軸と波動調整ユニット１１が適当な治具又はカップリング等（図示せず）を介して接続される。本実施形態においては、特開２００７−０６８８２２号公報に記載されているように、マカバ形状（星形正四面体、星形二重正四面体、星形正八面体）の水晶２を用いることで、波動調整器としての機能が向上する。この場合、マカバ形状の対向する２つの頂点を磁石１の面の中心に直接接続又は治具を介して接続させる構成が望ましく、この際、マカバ形状の水晶２の最大外径が磁石１の外径ｄｍよりも小さくなる寸法を選択することにより、マカバ形状の水晶２の頂点が回転中に容器３の内面に接触し破損することがないので望ましい。
【００２０】  図１１は、図１０の実施形態の一変形形態を示す。３つの波動調整ユニット１１は、図１の実施形態の容器３、つまり、磁石１が容器３内で回転しない条件である式（４）、及び磁石１の面に直交する磁場が水晶２のすべてを貫通する条件である式（６）及び（１５）で少なくともω＞０を満たす寸法を有する容器３に収納され、接着等によって一体となって波動調整器１２を構成している。（ただし、磁石１と水晶２が接着されている場合は、蓋部は無くてもよい）。更に、３つの波動調整器１２は、第２の容器１３内に収納され、磁石１の同極同士の反発力によって積層されている。本実施形態における上部波動調整器（ｉ＝１）、中央波動調整器（ｉ＝２）、下部波動調整器（ｉ＝３）が、図４の実施形態における上部磁石１、水晶２、下部磁石１に対応すると考えることによって、第２の容器１３の寸法は、容器３と同様に条件を計算できる。つまり、第２の容器１３の内径Ｄ２、内径公差±αＤ２、ｉ番目の容器３の外径ｄ１（ｉ）、外径公差±αｄ１（ｉ）、長さｌ１（ｉ）、長さ公差±α１１（ｉ）（磁石１と水晶２の接着等による寸法誤差や、長さ測定時の測定誤差等も含まれる）とすると、式（４）に相当する式は以下のようになる。
2015037451.tif 000016
ここで、上下の波動調整ユニットは回転軸と接続されているので磁石の同極の反発力により回転・傾斜することはないと考えられるため、回転しない条件は中央の波動調整ユニットに対してのみ考慮されているが、上下の波動調整ユニットを回転軸と接続する際の軸ずれの誤差や傾斜誤差等も考えられるため、そのような誤差を考慮に入れてもよい。
このように、波動調整ユニットを容器３内に収容し、容器３を第２の容器１３に収納する構成をとることにより、波動調整ユニットの対向する一対の磁石１とそれらに挟まれる少なくとも１つの水晶２を一体化する際の中心軸のずれ等による回転時の偏心を防止し、偏心によって容器３と第２の容器１３が接触し破損することを防ぐことができる。
更に、容器３と第２の容器１３との間には、適当なベアリングを配置してもよい。これによって、容器３が高速に回転するとき等、重量アンバランス等によって片持ち構造の容器３に回転振れが生じるのを抑制し、第２の容器１３と接触して破損することを防ぐことができる。また、鉛直軸を中心に回転駆動されない中央の波動調整ユニットは、容器１１に収納されず、直接第２の容器１３内に配置されてもよい。
【００２１】  以下において、上記の様々なパラメータの関係を具体的な数値を用いて検討する。表１は、様々なパラメータの値を設定し、上記の式から計算された値を記載している。磁石１の外径ｄｍと水晶２の外径ｄｃは等しい場合を考え、それぞれの公差αｍ、αｃ及び磁石１の幅ｗの公差αｗ、容器３の内径Ｄの公差αＤも等しく±０．０５ｍｍとする。
はじめに、磁石１の外径ｄｍと幅ｗ、水晶２の個数ｎを選択し、これをもとに他のパラメータ値を計算し、容器３の内径Ｄとして適切な寸法の範囲を求める。加工プロセスの制約から容器３の内径Ｄは０．１ｍｍ単位で設定可能であるものとする。（０．０１ｍｍ単位など、これ以上細かく設定する場合、より高精度な加工法が要求され、高価な加工機が必要となったり、追加工が必要となったりして、結果的にコスト高となるため、このような制約を設ける。）
【表１】
2015037451.tif 000017
実施例１〜６において、磁石１の外径ｄｍ＝５ｍｍを固定し、実施例１〜４では、幅ｗ＝１〜３ｍｍと変え、実施例４〜６では、幅ｗ＝３ｍｍに固定し、水晶２の個数ｎ＝１〜３と変えた場合を示している。
まず、実施例１において、容器３の内径Ｄに要求される条件として、磁石１及び水晶２が容器内部で十分に滑らかに移動可能な容器３の最小内径Ｄｍｉｎは式（４）の左辺から、容器３内で磁石が反転するように回転しない容器３の最大内径Ｄｍａｘは式（４）の右辺から求められる。実施例１の場合、Ｄｍｉｎ＞Ｄｍａｘとなっており、公差を考慮した場合に適切な容器３の内径Ｄは存在しないことが示される。
次に、実施例２において、同様にＤｍｉｎ及びＤｍａｘを計算すると、Ｄｍｉｎ＜Ｄｍａｘとなっており、Ｄｍｉｎ＜Ｄ＜Ｄｍａｘを満たす容器３の内径Ｄとして５．２ｍｍが選択できる。このときの磁石１の傾斜角θは式（６）から、磁場貫通率ωは式（１５）から計算できる。なお、式（６）において、公差を考慮に入れて、ｄｍ→ｄ−αｍ、ｗ→ｗ−αｗ、Ｄ→Ｄ＋αＤとして計算した。
同様に、ｗ＝３ｍｍとした場合、Ｄｍｉｎ＜Ｄ＜Ｄｍａｘを満たす容器３の内径Ｄとしては、５．２ｍｍ〜５．７ｍｍが選択でき、Ｄ＝５．２ｍｍの場合を実施例３に、Ｄ＝５．７ｍｍのときを実施例４に示す。磁石１の傾斜角θを計算すると、それぞれ８．９９°、２７．０°となっており、容器３の内径Ｄを広くすることにより磁石１の傾斜角θが増加しているのが分かる。また、磁場貫通率ωを計算すると、それぞれ０．９３、０．７８となっており、容器３の内径Ｄを広くすることにより磁場貫通率ωは低下しているのが分かる。
ここで、水晶２の個数を２、３個と増加させた場合を実施例５、６にそれぞれ示す。磁石１の傾斜角θは実施例４と変わらないが、磁場貫通率ωは実施例５では更に低下し０．４５となった。実施例６では、ω＞０を満たさず、磁石１の対向する面に直交する磁場が水晶のすべてを貫通する条件を満たしていないことを示しており、この条件は波動調整器の機能面から望ましくないことが分かる。そのため、ｎ≧３の場合は、Ｄ＝５．２〜５．６ｍｍの範囲で選択すればよい。また、ｗ≧４とすることもでき、このとき厚さ４ｍｍの磁石１を新たに準備してもよいが、公差（誤差）の影響がさほど気にならなければ、簡便には２ｍｍの磁石１を直列に２つ配置することで対応してもよい。
このようにして、磁石１の外径ｄｍと幅ｗ、水晶２の個数ｎから、適切な容器３の内径Ｄを計算により求めることができた。実際は、磁石１や容器３の公差以外にも、微細な粉塵が磁石１と容器３の内面の隙間に入ってしまったり、容器３の内面両端部にねじ切りをした時などはバリによって内径寸法誤差が発生したり、傾斜角が急になると、磁石１の端部で容器３の内面と点接触に近い状態となり、摩擦力が大きくなり引っ掛かり現象が発生するなどのことが起きた。そのため、上記計算値をもとにして、少し余裕をもって容器３の内径Ｄを選択するのが望ましい。
【００２１】  上記実施形態では、磁石１は円盤型磁石を用いているが、他の形状の磁石を用いてもよい。また、複数の水晶が容器の半径方向に配列されるとき、水晶の外径とは半径方向に配列された複数の水晶のある容器半径方向断面における最大寸法を指す。上記実施形態の波動調整ユニットでは水晶球が描かれているが、他の種類、形状、個数の石、及びそれらの組み合わせが用いられてもよい。また、上記実施形態では、磁石１及び水晶２は同一の寸法、公差、種類、形状であるとしたが、異なる寸法、公差、種類、形状の組み合わせであっても、同様に議論される。更に、上記は本発明の実施形態を対象としているが、本発明の他の及び更なる実施形態は本発明の基本的範囲を逸脱することなく創作することができ、その範囲は以下の特許請求の範囲に基づいて定められる。
【図１】
2015037451.tif 000018
【図２】
2015037451.tif 000019
【図３】
2015037451.tif 000020
【図４】
2015037451.tif 000021
【図５】
2015037451.tif 000022
【図６】
2015037451.tif 000023
【図７】
2015037451.tif 000024
【図８】
2015037451.tif 000025
【図９】
2015037451.tif 000026
【図１０】
2015037451.tif 000027
【図１１】
2015037451.tif 000028
【手続補正書】
【提出日】平成24年1月18日(2012.1.18)
【手続補正１】
【補正対象書類名】明細書
【補正対象項目名】０００７
【補正方法】変更
【補正の内容】
【０００７】
【図１】  本発明の一実施形態に係る波動調整器用容器の断面図を示す。
【図２】  磁石が回転するときを示した断面図である。
【図３】  磁石が容器内で回転し傾斜した状態を示す断面図である。
【図４】  対向する一対の磁石内に複数の水晶が配置された場合の容器の内部断面図である。
【図５】  上部磁石の面に垂直な方向から見た２円の共通部分Ａをｘ−ｙ座標平面内に記した模式図である。
【図６Ａ】  本発明の別の一実施形態に係る波動調整器用容器の正面図及び底面図を示す。
【図６Ｂ】  本発明の更に別の一実施形態に係る波動調整器用容器の正面図及び底面図を示す。
【図７Ａ】  隔壁部を備えた波動調整器用容器の正面図を示す。
【図７Ｂ】  細径部を備えた波動調整器用容器の正面図を示す。
【図８】  磁石及び水晶の外形と等しい又はわずかに大きな凹部を有する組み合わせ部材の三面図を示す。
【図９】  本発明の一実施形態に係る波動調整器用容器内に、３つの波動調整ユニットを磁石の反発力を利用して積層した三連式波動調整器の一実施形態の断面図を示す。
【図１０】  三連式波動調整器の両端の２つの波動調整ユニットを回転可能にした本発明の別の一実施形態に係る三連式波動調整器の断面図を示す。
【図１１】  本発明の一実施形態に係る波動調整器用容器内に波動調整ユニットを配置した波動調整器を、更に本発明の一実施形態に係る第２の容器内に磁石の反発力を利用して積層させた更に別の三連式波動調整器の一実施形態の断面図を示す。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
少なくとも１つの石と、前記石を挟むように配置される一対の磁石とを有する少なくとも１つの波動調整ユニットと、
前記少なくとも１つの波動調整ユニットを内部に含む容器とを含み、
前記容器の内径は、少なくとも前記磁石及び前記石が前記容器内部で十分に滑らかに移動可能な程度に前記磁石及び前記石の外径よりも大きく、及び、前記容器内で前記磁石の磁極が反転するように回転するのを防ぐことができ、
前記磁石の前記容器内での最大傾斜時に、同一波動調整ユニット内において前記磁石の対向する面に直交する磁場が前記石のすべてを貫通することができる波動調整器。
【請求項２】
前記石は球状であり、前記磁石は円盤状であり、前記容器は少なくとも内面が円筒状であり、前記磁石の外径ｄｍ及び厚みｗ、前記容器の内径Ｄ、前記磁石の前記容器内での最大傾斜角θとしたとき、
2015037451.tif 000029
であり、同一波動調整ユニット内の石の個数をｎ、前記磁石の対向する面に直交する磁場が前記石のすべてを貫通する磁場貫通率ωとしたとき、
2015037451.tif 000030
であり、ω＞０を満たす請求項１記載の波動調整器。
【請求項３】
前記容器は、少なくとも内面が円筒状の筒部と、前記筒部の両端の開口部を封止する蓋部を含み、前記筒部及び前記蓋部は非磁性体材料でできている請求項１又は２記載の波動調整器。
【請求項４】
前記少なくとも１つの石は水晶を含む請求項１〜３のいずれか１項記載の波動調整器。
【請求項５】
前記石は異なる種類からなる複数の石を含む請求項１〜４のいずれか１項記載の波動調整器。
【請求項６】
前記容器内に複数の前記波動調整ユニットが磁石の同極の反発力を利用して離間して配置される請求項１〜５のいずれか１項記載の波動調整器。